(57)【要約】【課題】読影レポートの文字列とその文字列にリンク付けされた医用画像に付されたアノテーションとの対応を容易に把握することが可能なレポート作成支援システムを提供する。【解決手段】実施形態に記載のレポート作成支援システムは、表示制御部と、リンク付け部とを有する。表示制御部は、表示部に対し、少なくとも一つのアノテーションが付された医用画像、及び複数の文字列から構成される読影レポートを作成するための作成画面を表示させる。リンク付け部は、入力部により選択された所望のアノテーションのみが付された医用画像を作成画面における所望の文字列に対して移動する指示がなされた場合に、所望のアノテーションのみが付された医用画像を所望の文字列にリンク付けする。【選択図】図２
2014149689.tif 000002
【特許請求の範囲】
【請求項１】
表示部に対し、少なくとも一つのアノテーションが付された医用画像、及び複数の文字列から構成される読影レポートを作成するための作成画面を表示させる表示制御部と、
入力部により選択された所望のアノテーションのみが付された前記医用画像を前記作成画面における所望の前記文字列に対して移動する指示がなされた場合に、前記所望のアノテーションのみが付された医用画像を前記所望の文字列にリンク付けするリンク付け部と、
を有することを特徴とするレポート作成支援システム。
【請求項２】
前記表示部は、
前記アノテーションが付された医用画像を表示する第１の表示部と、
前記作成画面を表示する第２の表示部と、
を有することを特徴とする請求項１記載のレポート作成支援システム。
【請求項３】
前記表示制御部は、前記医用画像に表示されたアノテーションを操作可能な第１のモードと、前記アノテーションを前記医用画像に対して固定することで前記アノテーションが付された医用画像を生成する第２のモードとを切り替え可能な切替部を有し、
前記入力部による前記所望のアノテーションの選択は、前記第１のモードまたは前記第２のモードで行われることを特徴とする請求項１または２記載のレポート作成支援システム。
【請求項４】
前記医用画像において、前記アノテーションは複数付されており、
前記入力部により一のアノテーションが指定された場合、それ以外のアノテーションを前記所望のアノテーションとして選択する選択部を有することを特徴とする請求項１から３のいずれか一つに記載のレポート作成支援システム。
【請求項５】
前記医用画像において、前記アノテーションは複数付されており、
前記入力部により一のアノテーションが指定された場合、指定された前記アノテーション近傍のアノテーションを前記所望のアノテーションとして選択する選択部を有することを特徴とする請求項１から３のいずれか一つに記載のレポート作成支援システム。
【請求項６】
前記医用画像において、前記アノテーションは複数付されており、
前記所望のアノテーションが選択された場合に、前記所望のアノテーションのみが付された前記医用画像の縮小画像を作成する縮小画像作成部を有し、
前記表示制御部は前記縮小画像を前記表示部に表示させることを特徴とする請求項１から５のいずれか一つに記載のレポート作成支援システム。
【請求項７】
コンピュータに、
表示部に対し、少なくとも一つのアノテーションが付された医用画像、及び複数の文字列から構成される読影レポートを作成するための作成画面を表示させる表示制御機能と、
入力部により選択された所望のアノテーションのみが付された前記医用画像を前記作成画面における所望の前記文字列に対して移動する指示がなされた場合に、前記所望のアノテーションのみが付された医用画像を前記所望の文字列にリンク付けするリンク付け機能と、
を実行させることを特徴とするレポート作成支援プログラム。
【発明の詳細な説明】
【技術分野】
【０００１】
本発明の実施形態は、レポート作成支援システム及びレポート作成支援プログラムに関する。
【背景技術】
【０００２】
医療分野においては、専門分野が細分化されている。たとえば、Ｘ線ＣＴ装置、ＭＲＩ装置等により取得された医用画像の読影を行う場合、専門の医師（読影医）に依頼することが広く行われている。読影医は、読影対象の医用画像を確認しながら、その所見を読影レポートとしてまとめる作業を行う。
【０００３】
読影レポートの作成には、たとえば、レポート作成装置が用いられる。レポート作成装置を用いた読影レポート作成は、読影医が表示部に表示された医用画像を確認し、所見を見出す。そして、読影医がその所見を表示部に表示された所見入力欄に文字列として入力することにより行われる。所見の判断に用いられた医用画像は、「キー画像」という場合がある。
【０００４】
読影レポートを作成する際、キー画像中における注目部位（たとえば、血栓や腫瘍等の病変部）を明確にするため、キー画像にアノテーションと呼ばれる円や多角形等の図形を付与することが行われる。
【０００５】
また、読影レポートを作成する際、所見入力欄に入力された文字列と医用画像とをリンク付けすることも可能である（ハイパーリンク）。読影医は、入力部等を介してリンク付けする医用画像を選択し、その医用画像のドラッグを行う。そして、読影医は、ドラッグした医用画像をリンク付けしようとする所望の文字列にドロップする（以下、このドラッグ操作及びドロップ操作を合わせて「ドラッグアンドドロップ」という場合がある）。ドラッグアンドドロップの操作により、選択された医用画像の記憶先を示すアドレス情報がドロップされた文字列にリンク付けされる。更に、レポート作成装置は、医用画像のリンク付けと併せて、リンク付けされた文字列の色を変更し、下線を付すなどして識別可能に表示する。下線が付された文字列が選択されると、レポート作成装置は、選択された文字列にリンク付けされた医用画像を表示させる。
【先行技術文献】
【特許文献】
【０００６】
【特許文献１】特開２００５−３０１４５３号公報
【発明の概要】
【発明が解決しようとする課題】
【０００７】
ここで、一つの医用画像に複数のアノテーションが付される場合がある。このような医用画像を所望の文字列にハイパーリンクした場合において、所望の文字列が選択されると、表示部には複数のアノテーションが付された医用画像が表示される。よって、医用画像を確認したレポート作成依頼者（医師等）は、所望の文字列の内容が医用画像に示されたどのアノテーションに関する記載なのか（複数のアノテーション全てに対応する記載なのか、一のアノテーションに対応する記載なのか等）を把握することが困難であった。
【０００８】
実施形態は、前述の問題点を解決するためになされたもので、読影レポートの文字列とその文字列にリンク付けされた医用画像に付されたアノテーションとの対応を容易に把握することが可能なレポート作成支援技術を提供することを目的とする。
【課題を解決するための手段】
【０００９】
上記課題を解決するために、実施形態に記載のレポート作成支援システムは、表示制御部と、リンク付け部とを有する。表示制御部は、表示部に対し、少なくとも一つのアノテーションが付された医用画像、及び複数の文字列から構成される読影レポートを作成するための作成画面を表示させる。リンク付け部は、入力部により選択された所望のアノテーションのみが付された医用画像を作成画面における所望の文字列に対して移動する指示がなされた場合に、所望のアノテーションのみが付された医用画像を所望の文字列にリンク付けする。
【図面の簡単な説明】
【００１０】
【図１】実施形態に係る医用情報システムを示す全体図である。
【図２】実施形態に係るレポート作成支援装置を示すブロック図である。
【図３】実施形態に係る表示部を示す図である。
【図４Ａ】実施形態に係る表示部を示す図である。
【図４Ｂ】実施形態に係る表示部を示す図である。
【図４Ｃ】実施形態に係る表示部を示す図である。
【図４Ｄ】実施形態に係る表示部を示す図である。
【図５】実施形態に係るレポート作成支援装置の動作を示すフローチャートである。
【図６】変形例２に係るレポート作成支援装置を示すブロック図である。
【図７Ａ】変形例２に係る表示部を示す図である。
【図７Ｂ】変形例２に係る表示部を示す図である。
【図８Ａ】変形例２に係る表示部の別例を示す図である。
【図８Ｂ】変形例２に係る表示部の別例を示す図である。
【図９】変形例３に係るレポート作成支援装置を示すブロック図である。
【図１０Ａ】変形例３に係る表示部を示す図である。
【図１０Ｂ】変形例３に係る表示部を示す図である。
【発明を実施するための形態】
【００１１】
＜実施形態＞
図１から図５を参照して、本実施形態に係るレポート作成支援装置の構成について説明する。
【００１２】
［医用情報システム１の全体構成］
図１に示すように、医用情報システム１は、医用画像撮影装置２、医用画像保管装置３、レポート作成支援装置４及びレポート保管装置５を含んで構成されている。これらの装置間はＬＡＮ（Ｌｏｃａｌ  Ａｒｅａ  Ｎｅｔｗｏｒｋ）等のネットワークＮを介して通信可能に接続されている。装置間の通信は、医用画像の標準規格であるＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）に準拠することが望ましいが、適宜、他の標準規格を適用してもよい。情報通信は、業界標準規格のＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）通信で、データはネットワークＮを介してパケット（転送する情報の基本単位）でやり取りされる。
【００１３】
医用画像撮影装置２は、Ｘ線撮影装置、Ｘ線ＣＴ（Ｃｏｍｐｕｔｅｄ  Ｔｏｍｏｇｒａｐｈｙ）装置及びＭＲＩ（Ｍａｇｎｅｔｉｃ  Ｒｅｓｏｎａｎｃｅ  Ｉｍａｇｉｎｇ）装置等の撮影装置である。これらの撮影装置で被検体を撮影することにより、医用画像を取得することができる。取得された医用画像は、たとえばＤＩＣＯＭに準拠したファイル形式で医用画像保管装置３に送信される。送信される医用画像には、その医用画像を取得した日付、撮影条件等その医用画像に付随する画像関連情報が含まれている。なお、「画像」と「画像データ」は一対一に対応するので、本実施形態においては、これらを同一視する場合がある。
【００１４】
医用画像保管装置３は、医用画像撮影装置２から送信された医用画像等を保管する装置である。医用画像保管装置３は、所謂コンピュータであり、内部にＣＰＵ（Ｃｅｎｔｒａｌ  Ｐｒｏｃｅｓｓｉｎｇ  Ｕｎｉｔ。図示なし）、ＲＯＭ（Ｒｅａｄ  Ｏｎｌｙ  Ｍｅｍｏｒｙ。図示なし）、ＲＡＭ（Ｒａｎｄｏｍ  Ａｃｃｅｓｓ  Ｍｅｍｏｒｙ。図示なし）及び大容量の記憶装置（図示なし）等を含んで構成されている。
【００１５】
レポート作成支援装置４は、読影医等からの指示入力に基づき、医用画像に関する所見を記録し、読影レポートを作成するための装置である。レポート作成支援装置４の詳細については後述する。
【００１６】
レポート保管装置５は、読影レポートを作成するための作成画面のテンプレート、レポート作成支援装置４で作成された読影レポート、及びその読影レポートを作成する際に参照した医用画像（キー画像）等を保管する装置である。レポート保管装置５は、所謂コンピュータであり、内部にＣＰＵ（図示なし）、ＲＯＭ（図示なし）、ＲＡＭ（図示なし）及び大容量の記憶装置（図示なし）等を含んで構成されている。なお、医用画像保管装置３及びレポート保管装置５は、一つの装置として構成されていてもよい。或いは、レポート作成支援装置４及びレポート保管装置５を一つの装置として構成することも可能である。
【００１７】
［レポート作成支援装置の構成］
図２に示すように、レポート作成支援装置４は、入力部４１と、表示部４２と、処理部４３とを含んで構成されている。本実施形態におけるレポート作成支援装置４は、「レポート作成支援システム」の一例である。
【００１８】
（入力部）
入力部４１は、レポート作成支援装置４において各種の指示入力を行うために設けられている。入力部４１は、たとえば、キーボード、マウス、トラックボール、ジョイスティック等により構成される。また、入力部４１として、表示部４２に表示されたＧＵＩ（Ｇｒａｐｈｉｃａｌ  Ｕｓｅｒ  Ｉｎｔｅｒｆａｃｅ）を用いることも可能である。
【００１９】
（表示部）
表示部４２は、読影レポート及び医用画像を表示するディスプレイである。本実施形態では、第１の表示部４２ａ及び第２の表示部４２ｂを有するデュアルディスプレイが用いられている。第１の表示部４２ａには医用画像が表示される。第２の表示部４２ｂには読影レポートを作成するための作成画面や、作成された読影レポートが表示される。
【００２０】
（処理部）
本実施形態において、処理部４３は、通信部４３１、表示制御部４３２、レポート作成部４３３、アノテーション部４３４及びリンク付け部４３５を有する。処理部４３は、たとえばＣＰＵにより構成される。
【００２１】
通信部４３１は、入力部４１等からの指示入力に基づいて、読影レポートを作成する際に参照する医用画像を医用画像保管装置３から取得する。たとえば、入力部４１で検査ＩＤが入力された場合、通信部４３１は、その検査ＩＤに対応する医用画像を医用画像保管装置３から読み出す。また、通信部４３１は、入力部４１等からの指示入力に基づいて、読影レポートの作成画面のテンプレートをレポート保管装置５から取得する。また、通信部４３１は、レポート作成支援装置４により作成された読影レポート等をレポート保管装置５に送信する。
【００２２】
表示制御部４３２は、表示部４２（第１の表示部４２ａ及び第２の表示部４２ｂ）に対する各種の表示制御を行う。たとえば、表示制御部４３２は、医用画像保管装置３から取得した医用画像を第１の表示部４２ａに表示させる。また、表示制御部４３２は、レポート保管装置５から取得したテンプレートに基づき、読影レポートの作成画面を第２の表示部４２ｂに表示させる。
【００２３】
また、本実施形態における表示制御部４３２は、切替部４３２ａを含んで構成されている。レポート作成支援装置４は、医用画像に表示されたアノテーションを操作可能なモード（以下、「第１のモード」という場合がある）、アノテーションを医用画像に対して固定することでアノテーションが付された医用画像を生成するモード（以下、「第２のモード」という場合がある）を有する。すなわち、第１のモードは、アノテーションの位置や形状の変更が可能なモードである。第２のモードは、アノテーションの位置や形状の変更が不可能なモードである。切替部４３２ａは、入力部４１等からの指示入力に基づいて、第１のモードと第２のモードとの切り替えを行う。
【００２４】
レポート作成部４３３は、入力部４１等からの指示入力に基づいて、第２の表示部４２ｂに表示された読影レポートの作成画面の所見入力欄に所見の内容を記入する。たとえば、入力部４１がキーボードからなる場合、レポート作成部４３３は、読影医により押下された文字キーに対応付けられた文字を所見入力欄に電子データとして記録することにより、所見入力欄に所見の内容を記入する。所見の内容は、複数の文字列で構成される。
【００２５】
アノテーション部４３４は、入力部４１等からの指示入力に基づいて、第１の表示部４２ａに表示された医用画像中にアノテーションを付加させる。
【００２６】
アノテーションは、医用画像中に付加することで注目部位等を認識し易くするためのマークである。アノテーションは、様々な形態で表示される。たとえば、アノテーションは、注目部位（病変部等）を指す矢印や、注目部位を囲む円、楕円、多角形、或いは、注目部位を囲むようにフリーハンドで描かれた線等、医用画像上に描出される図形である。また、アノテーションには、注目部位の大きさを示す目盛り等も含まれる。
【００２７】
図３は、第１の表示部４２ａに表示された医用画像Ｉの一例を示す図である。図３では、医用画像Ｉ中に円形状のアノテーションＡ１及び矢印形状のアノテーションＡ２、アノテーションＡ３が付されている。このように、一の医用画像に複数のアノテーションが付加されてもよい。
【００２８】
アノテーションの付加は、手動または自動で行うことが可能である。
【００２９】
アノテーションの付加を手動で行う場合、第１のモード下、読影医は医用画像の注目部位に対して図形を描く。アノテーション部４３４は、描かれた図形をアノテーションとして医用画像に表示させる。その後、切替部４３２ａは、第１のモードから第２のモードに切り替えを行う。これにより、アノテーション部４３４は、表示されたアノテーションを医用画像に対して固定することで、アノテーションが付された医用画像を生成する（すなわち、アノテーション部４３４は、医用画像にアノテーションを付加する）。
【００３０】
一方、アノテーションの付加を自動で行う場合、たとえば、特開２０１０−５７９０２号公報の技術を応用することが可能である。ここでは、図３に示すような３つのアノテーションを付加する例について述べる。読影医は、予め設定された複数のアノテーションの中から一のアノテーションを選択する。そして、第１のモード下、読影医がマウス（入力部４１）により医用画像中の注目部位を選択すると、アノテーション部４３４は、選択された部分に選択されたアノテーション（アノテーションＡ１）を表示させる。読影医は、入力部４１を介してアノテーションＡ１の位置を調整する。同様に、アノテーション部４３４は、医用画像Ｉにおいて、矢印のアノテーションＡ２及びアノテーションＡ３を表示させる。その後、切替部４３２ａは、入力部４１からの指示入力に基づき、第１のモードから第２のモードに切り替えを行う。これにより、アノテーション部４３４は、表示されたアノテーションＡ１〜Ａ３を医用画像Ｉに対して固定する（すなわち、アノテーション部４３４は、医用画像にアノテーションを付加する。図３参照）。
【００３１】
なお、アノテーションを選択する代わりに、予め設定された情報（たとえば、読影医の読影ルーチンに基づく複数のアノテーションの組み合わせや、過去の読影レポート作成時に使用したアノテーションの情報）に基づいてアノテーションを自動で表示させてもよい。たとえば、入力部４１により注目部位が選択された場合、アノテーション部４３４は、予め設定された情報に基づくアノテーションを自動で選択し、注目部位の位置に表示させる。
【００３２】
アノテーションの付加は、医用画像に対してアノテーションの画像を重ねる（オーバーレイ）ことでもよいし、医用画像においてアノテーションが表示される領域の画素をアノテーションのＧＳＰＳ（Ｇｒａｙｓｃａｌｅ  Ｓｏｆｔｃｏｐｙ  Ｐｒｅｓｅｎｔａｔｉｏｎ  Ｓｔａｔｅ）に基づいて置き換えることでもよい。
【００３３】
リンク付け部４３５は、入力部４１により選択された所望のアノテーションのみが付された医用画像を作成画面における所望の文字列に対して移動する指示がなされた場合に、所望のアノテーションのみが付された医用画像を所望の文字列にリンク付けする。リンク付けの処理は、第１の表示部４２ａにアノテーションが付加された医用画像が表示され、且つ第２の表示部４２ｂに読影レポートの作成画面が表示された状態で行われる。
【００３４】
本実施形態において、「所望のアノテーション」とは、医用画像に付加されたアノテーションのうち、読影医が望む所望の文字列に記載された内容に関連する領域を示すアノテーションをいう。「所望の文字列」とは、読影レポートに示される複数の文字列のうち、医用画像をリンク付け（ハイパーリンク）する対象となる文字列をいう。また、「移動する指示」とは、ドラッグアンドドロップの操作をいう。また、「医用画像を所望の文字列にリンク付けする」とは、医用画像データを読影レポートに示される所望の文字列のデータに関連付けることをいう。この関連付けには、たとえば、読影レポート内における画像の位置（貼付位置）や画像のサイズ等が含まれる。
【００３５】
以下、図４Ａ〜図４Ｄを参照して、リンク付けの具体例について説明する。ここでは、図３に示すアノテーションＡ１〜Ａ３が付された医用画像Ｉにおいて、アノテーションＡ１のみが選択された場合について述べる。以下の説明では、アノテーションＡ１が「所望のアノテーション」であり、文字列βが「所望の文字列」であるとする。文字列βは、アノテーションＡ１で示された領域に関する所見が記載されているものとする。また、リンク付けの操作は、第２のモードで実行されるものとして述べる。
【００３６】
読影医は、第２の表示部４２ｂに表示される読影レポートの作成画面Ｗに患者ＩＤや患者の氏名等を入力する。また、読影医は、所見入力欄Ｆ１に医用画像Ｉに関する所見を示す文字列α及び文字列βを入力する（図４Ａ参照）。
【００３７】
その後、読影医は、文字列βに関して、アノテーションＡ１が付された医用画像Ｉのリンク付けを行う。
【００３８】
この場合、読影医は、入力部４１によりアノテーションＡ１を選択する（ドラッグ操作。図４Ｂ参照）。表示制御部４３２は、選択されたアノテーションＡ１が他のアノテーションと識別可能となるよう表示形態を変更する。たとえば、表示制御部４３２は、選択されたアノテーションＡ１の表示色を他のアノテーションの表示色と変える。或いは、表示制御部４３２は、選択されたアノテーションＡ１の近傍に選択されたことを示すマークを表示させてもよい。なお、図４Ｂでは、選択されたアノテーションとそれ以外のアノテーションとを区別するため、選択されたアノテーション（アノテーションＡ１）を破線で示している。
【００３９】
アノテーションＡ１が選択された場合、リンク付け部４３５は、選択されたアノテーションが表示される医用画像Ｉが有する特定情報（ＳｔｕｄｙインスタンスＵＩＤ、ＳＯＰインスタンスＵＩＤ、検査日、検査を行った医用画像撮影装置２の種類、指定されたアノテーションＡ１の位置情報等）をＵＲＬ形式の情報として取得する。
【００４０】
その後、読影医は、入力部４１により、アノテーションＡ１を選択した状態で医用画像Ｉを第２の表示部４２ｂに表示された文字列βにドロップする（図４Ｃ参照）。リンク付け部４３５は、ドロップされた医用画像Ｉを文字列βにリンク付けする。リンク付けされた医用画像Ｉは、たとえば、作成画面Ｗの画像表示欄Ｆ２に表示される（図４Ｄ参照）。そして、リンク付け部４３５は、取得された特定情報を含むハイパーリンクに関する情報（以下、「ハイパーリンクＵＲＬ情報」という場合がある）を作成し、読影レポートと関連付けてレポート保管装置５に記憶させる。
【００４１】
表示制御部４３２は、文字列βを他の文字列と識別可能な状態で表示させる。たとえば、表示制御部４３２は、文字列βの表示色を他の文字列の表示色と変更させ、且つ文字列βに下線を付す表示を行う（図４Ｄ参照）。
【００４２】
なお、上記では、一のアノテーションを選択する例について述べたが、複数のアノテーションを選択することも可能である。たとえば、入力部４１がキーボードの場合、読影医は、ＳＨＩＦＴキーを押下したまま、キー操作を行うことにより、複数のアノテーションを選択することでできる。
【００４３】
また、ある文字列に対して、複数の医用画像をリンク付けすることも可能である。たとえば、上記例において医用画像Ｉを文字列βにリンク付けした後、読影医によって異なる医用画像Ｉ´が文字列βに対してドラッグアンドドロップされたとする。この場合、リンク付け部４３５は、ドロップされた医用画像Ｉ´を医用画像Ｉと共に文字列βにリンク付けする。
【００４４】
［動作］
次に、図５を参照して、本実施形態に係るレポート作成支援装置４の動作について説明する。
【００４５】
まず、レポート作成支援装置４を起動する。レポート作成支援装置４が起動されると、通信部４３１は、読影レポートの作成画面のテンプレートをレポート保管装置５から取得する。表示制御部４３２は、取得した読影レポートの作成画面を第２の表示部４２ｂに表示させる（Ｓ１０）。
【００４６】
次に、入力部４１から検査ＩＤが入力されると、通信部４３１はその検査ＩＤに対応する医用画像を医用画像保管装置３から取得する。表示制御部４３２は、取得された医用画像を第１の表示部４２ａに表示させる（Ｓ１１）。
【００４７】
読影医は、第１の表示部４２ａに表示された医用画像を観察し、所見を見出す。そして、読影医は、その所見を第２の表示部４２ｂに表示された読影レポート作成画面に入力する。
【００４８】
また、読影医は、入力部４１を介して医用画像中の注目部位を指定する。この指示入力に基づき、アノテーション部４３４は、注目部位に対してアノテーションを付加する（Ｓ１２）。以下、医用画像Ｉに対して複数のアノテーションＡ１〜Ａ３が付加されたとして説明を行う（図３参照）。
【００４９】
ここで、読影医は、入力した文字列のうち所望の文字列に対し、その入力時に参照した医用画像のリンク付け（ハイパーリンク）を行う。この場合、読影医は、入力部４１で複数のアノテーションから所望のアノテーション（アノテーションＡ１）を選択する（Ｓ１３）。
【００５０】
読影医は、アノテーションＡ１を選択した状態（Ｓ１３の状態）で医用画像Ｉをドラッグし、所望の文字列にドロップする（Ｓ１４）。
【００５１】
リンク付け部４３５は、所望の文字列にドロップされた医用画像Ｉをリンク付けする（Ｓ１５。ハイパーリンク）。
【００５２】
このようにして、所望のアノテーションのみが付された医用画像と所望の文字列とのハイパーリンクが作成された読影レポートが完成する（Ｓ１６）。作成された読影レポートは、ハイパーリンクＵＲＬ情報と共にレポート保管装置５に保管される。
【００５３】
作成された読影レポートを参照する場合、レポート作成依頼者は、操作端末（たとえば、レポート作成者が所有するＰＣ）に検査ＩＤを入力する。操作端末は、入力された検査ＩＤに対応する読影レポートをレポート保管装置５から読み出し、操作端末の表示画面に表示させる。操作端末のキーボード等により、表示された読影レポートにおける所望の文字列が選択されると、操作端末は、所望の文字列にリンク付けされた医用画像を表示させる。表示された医用画像には、所望の文字列に関連する領域を示すアノテーション（所望のアノテーション）のみが示されている。よって、レポート作成依頼者は、所望の文字列に記載された内容が医用画像のどの領域に関するものであるかを容易に把握することができる。すなわち、所望のアノテーションのみが付された医用画像を表示させることにより、レポート作成依頼者による診断効率が向上する。
【００５４】
なお、本実施形態に係るレポート作成支援システムの構成は上記の構成に限られない。たとえば、複数の装置からなるシステムを構築することも可能である。
【００５５】
具体例として、医用画像を閲覧するための画像閲覧装置を設ける例について述べる。画像閲覧装置は、所謂コンピュータであり、ＣＰＵ（図示なし）、ＲＯＭ（図示なし）、及びＲＡＭ（図示なし）、表示部等を含んで構成されている。画像閲覧装置は、医用画像保管装置３から医用画像を受信し、画像ビューワと呼ばれるアプリケーションソフトウェアにて表示部に表示することができる。そして、画像閲覧装置では、医用画像の表示及びアノテーションの付加に関する処理等を実行させる。つまり、画像閲覧装置の表示部は「第１の表示部４２ａ」に該当する。
【００５６】
一方、レポート作成支援装置４は、読影レポートの作成に関する処理（医用画像と文字列とのリンク付けを含む）を実行する（この場合、レポート作成支援装置４には第１の表示部４２ａ及びアノテーション部４３４は不要である）。これにより上記実施形態の構成と同様の動作を行うことが可能となる。この場合、レポート作成支援装置４及び画像閲覧装置がレポート作成支援システムの一例となる。
【００５７】
或いは、レポート作成支援装置４を設ける代わりに、医用画像撮影装置２等の他の装置（コンピュータ）にレポート作成支援装置４の機能を実行させてもよい。たとえば、医用画像撮影装置２に所定のレポート作成支援プログラムを実行させることで医用画像撮影装置２に上記動作を行わせることも可能である。このようなレポート作成支援プログラムは、少なくとも表示制御機能及びリンク付け機能を有する。表示制御機能は、コンピュータ（たとえば、医用画像撮影装置２）の表示部に対し、少なくとも一つのアノテーションが付された医用画像、及び複数の文字列から構成される読影レポートを作成するための作成画面を表示させる。リンク付け機能は、コンピュータに設けられる入力部により選択された所望のアノテーションのみが付された医用画像を作成画面における所望の文字列に対して移動する指示がなされた場合に、所望のアノテーションのみが付された医用画像を所望の文字列にリンク付けする。
【００５８】
［作用・効果］
本実施形態に係るレポート作成支援システムの作用及び効果について説明する。
【００５９】
レポート作成支援システムは、表示制御部４３２と、リンク付け部４３５とを有する。表示制御部４３２は、表示部（第１の表示部４２ａ、第２の表示部４２ｂ）に対し、少なくとも一つのアノテーションが付された医用画像、及び複数の文字列から構成される読影レポートを作成するための作成画面を表示させる。リンク付け部４３５は、入力部４１により選択された所望のアノテーションのみが付された医用画像を作成画面における所望の文字列に対して移動する指示がなされた場合に、所望のアノテーションのみが付された医用画像を所望の文字列にリンク付けする。
【００６０】
このように、リンク付け部４３５は、所望のアノテーションのみが付された医用画像と所望の文字列とのリンク付けを行う。従って、その文字列にリンク付けされた医用画像を観察する医師等は、その文字列に示された内容が医用画像のどの領域に関する記載であるかを容易に判断することができる。すなわち、本実施形態におけるレポート作成支援システムによれば、読影レポートの文字列とその文字列にリンク付けされた医用画像に付されたアノテーションとの対応を容易に把握することが可能となる。
【００６１】
また、レポート作成支援システムにおける表示制御部４３２は、切替部４３２ａを有する。切替部４３２ａは、医用画像に表示されたアノテーションを操作可能な第１のモードと、アノテーションを医用画像に対して固定することでアノテーションが付された医用画像を生成する第２のモードとを切り替える。そして、入力部４１による所望のアノテーションの選択は、第２のモードで行われる。
【００６２】
このように、切替部４３２ａが第１のモードと第２のモードとを切り替えることで、医用画像に対してアノテーションを固定することができる。また、アノテーションが固定された状態でアノテーションの選択及びドラッグアンドドロップが可能となるため、医用画像に付されたアノテーションをドラッグした場合等にアノテーションの位置がずれることがない。
【００６３】
また、コンピュータにプログラムを実行させることで、本実施形態に係るレポート作成支援システムを実現させることも可能である。このようなレポート作成支援プログラムは、表示制御機能と、リンク付け機能とを有する。表示制御機能は、表示部に対し、少なくとも一つのアノテーションが付された医用画像、及び複数の文字列から構成される読影レポートを作成するための作成画面を表示させる。リンク付け機能は、入力部４１により選択された所望のアノテーションのみが付された医用画像を作成画面における所望の文字列に対して移動する指示がなされた場合に、所望のアノテーションのみが付された医用画像を所望の文字列にリンク付けする。
【００６４】
このように、リンク付け機能により、コンピュータに所望のアノテーションのみが付された医用画像と所望の文字列とのリンク付けを行わせる。従って、その文字列にリンク付けされた医用画像を観察する医師等は、その文字列に示された内容が医用画像のどの部分に関する記載であるかを容易に判断することができる。すなわち、本実施形態におけるレポート作成支援プログラムを実行することで、読影レポートの文字列とその文字列にリンク付けされた医用画像に付されたアノテーションとの対応を容易に把握することが可能となる。
【００６５】
＜変形例１＞
上記実施形態では、第２のモード（アノテーションの位置や形状の変更が不可能なモード）下で、アノテーションが付された医用画像と所望の文字列とのリンク付けを行う例を示したが、同様の処理を第１のモード下で行うことも可能である。
【００６６】
一方、第１のモードは、アノテーションの位置や形状を変更することが可能なモードである。従って、第１のモード下、アノテーションを選択した状態でドラッグアンドドロップを行うと、アノテーションの位置が動く可能性がある。
【００６７】
そこで、リンク付け部４３５は、第１のモードにおいて入力部４１によりアノテーションが選択された場合、選択されたアノテーションの位置を記憶する。そして、リンク付け部４３５は、入力部４１の操作量が所定量以上になった場合には、その操作がドラッグアンドドロップの操作であると判断し、所望の文字列に対し、記憶された位置にアノテーションが付された医用画像をリンク付けする。所定量は、入力部４１による操作がアノテーションに対する操作なのか、ドラッグアンドドロップの操作なのかを判別できる値である。たとえば、第１の表示部４２ａの表示画面における縦（または横）の長さを所定量として適用することができる。
【００６８】
本変形例におけるレポート作成支援装置４は、第１のモードで所望のアノテーションの選択を行い、医用画像を所望の文字列にリンク付けすることができる。すなわち、レポート作成支援装置４は、第２のモードへの切り替えが不要となる。従って、より簡易に所望の文字列と所望のアノテーションのみが付された医用画像とのハイパーリンクを行うことが可能となる。
【００６９】
＜変形例２＞
上記実施形態では所望のアノテーションを入力部４１で直接選択する構成について述べたが、所望のアノテーションの選択は上記例に限られない。
【００７０】
たとえば、アノテーションが複数付された医用画像において、あるアノテーション以外、全てのアノテーションを選択したい場合もありうる。
【００７１】
この場合、図６に示すように、処理部４３は、通信部４３１、表示制御部４３２、レポート作成部４３３、アノテーション部４３４、リンク付け部４３５及び選択部４３６を有する。
【００７２】
選択部４３６は、入力部４１により一のアノテーションが指定された場合、それ以外のアノテーションを所望のアノテーションとして選択する。
【００７３】
図７Ａ及び図７Ｂを参照して選択部４３６による処理の一例を示す。図７Ａ及び図７Ｂは、第１の表示部４２ａに表示された医用画像Ｉを示す図である。医用画像Ｉには、４つのアノテーション（アノテーションＡ１〜Ａ４）が付されている。
【００７４】
読影医が入力部４１によりアノテーションＡ１を指定したとする（図７Ａ参照。図７Ａでは指定されたアノテーションＡ１を破線で示す）。このとき、選択部４３６は、アノテーションＡ１以外で医用画像Ｉに付されているアノテーション（アノテーションＡ２〜アノテーションＡ４）を所望のアノテーションとして選択する（図７Ｂ参照）。図７Ｂの医用画像Ｉをドラッグアンドドロップすることにより、リンク付け部４３５は、所望の文字列に対し、アノテーションＡ２〜アノテーションＡ４のみが付された医用画像Ｉをリンク付けすることができる。
【００７５】
或いは、選択部４３６は、入力部４１により一のアノテーションが指定された場合、指定されたアノテーション近傍のアノテーションを所望のアノテーションとして選択することも可能である。
【００７６】
図８Ａ及び図８Ｂを参照して選択部４３６による処理の別例を示す。図８Ａ及び図８Ｂは、第１の表示部４２ａに表示された医用画像Ｉを示す図である。医用画像Ｉには、６つのアノテーション（アノテーションＡ１〜Ａ６）が付されている。
【００７７】
読影医が入力部４１によりアノテーションＡ６を指定したとする（図８Ａ参照。図８Ａでは指定されたアノテーションＡ６を破線で示す）。このとき、選択部４３６は、アノテーションＡ６、及びアノテーションＡ６の近傍にあるアノテーション（アノテーションＡ３〜アノテーションＡ５）を所望のアノテーションとして選択する（図８Ｂ参照）。図８Ｂの医用画像Ｉをドラッグアンドドロップすることにより、リンク付け部４３５は、所望の文字列に対し、アノテーションＡ３〜アノテーションＡ６のみが付された医用画像Ｉをリンク付けすることができる。「指定されたアノテーションの近傍」とは、指定されたアノテーションから所定の画素範囲内にあるアノテーションをいう。所定の画素範囲は、任意に設定することが可能である。
【００７８】
このように、選択部４３６を設けることにより、複数のアノテーションを一度に選択することが可能となる。すなわち、本変形例にかかるレポート作成支援装置４によれば、所望のアノテーションが複数ある場合であってもそれらを簡易に選択することができる。
【００７９】
なお、所望のアノテーションの選択をどのように行うか（上記実施形態の処理で行うか、選択部４３６を用いた処理を行うか）は、予め設定することが可能である。たとえば、レポート作成支援装置４は、予め各選択に対応するモードを有している。読影医は、アノテーションの選択を行う際に、それらのモードから任意のモードを選んで設定することができる。
【００８０】
＜変形例３＞
所望の文字列に医用画像をリンク付けする前に、その医用画像（選択されたアノテーションのみが付された医用画像）を確認したい場合がある。
【００８１】
この場合、図９に示すように、処理部４３は、通信部４３１、表示制御部４３２、レポート作成部４３３、アノテーション部４３４、リンク付け部４３５及び縮小画像作成部４３７を有する。
【００８２】
縮小画像作成部４３７は、所望のアノテーションが選択された場合に、所望のアノテーションのみが付された医用画像の縮小画像を作成する。表示制御部４３２は作成された縮小画像を表示部４２に表示させる。
【００８３】
図１０Ａ及び図１０Ｂを参照して縮小画像作成部４３７により表示される縮小画像の一例を示す。図１０Ａ及び図１０Ｂは、第１の表示部４２ａに表示された医用画像Ｉを示す図である。
【００８４】
たとえば、医用画像Ｉにおいて、読影医が所望のアノテーションとしてアノテーションＡ２を選択したとする（図１０Ａ参照。図１０Ａでは選択されたアノテーションＡ２を破線で示す）。このとき、縮小画像作成部４３７は、選択されたアノテーションＡ２のみが付された縮小画像Ｉｓを作成する。表示制御部４３２は、作成された縮小画像Ｉｓを医用画像Ｉに重ねて表示させる（図１０Ｂ参照）。
【００８５】
このように、選択されたアノテーションを示す縮小画像を表示させることで、読影医は、所望の文字列と医用画像とのリンク付けを行う前に、リンク付けを行おうとしている医用画像が所望のアノテーションのみが付された医用画像であるかを確認することができる。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１  医用情報システム
２  医用画像撮影装置
３  医用画像保管装置
４  レポート作成支援装置
５  レポート保管装置
４１  入力部
４２  表示部
４２ａ  第１の表示部
４２ｂ  第２の表示部
４３  処理部
４３１  通信部
４３２  表示制御部
４３２ａ  切替部
４３３  レポート作成部
４３４  アノテーション部
４３５  リンク付け部
【図１】
2014149689.tif 000003
【図２】
2014149689.tif 000004
【図３】
2014149689.tif 000005
【図４Ａ】
2014149689.tif 000006
【図４Ｂ】
2014149689.tif 000007
【図４Ｃ】
2014149689.tif 000008
【図４Ｄ】
2014149689.tif 000009
【図５】
2014149689.tif 000010
【図６】
2014149689.tif 000011
【図７Ａ】
2014149689.tif 000012
【図７Ｂ】
2014149689.tif 000013
【図８Ａ】
2014149689.tif 000014
【図８Ｂ】
2014149689.tif 000015
【図９】
2014149689.tif 000016
【図１０Ａ】
2014149689.tif 000017
【図１０Ｂ】
2014149689.tif 000018